(57)【特許請求の範囲】
【請求項１】
化粧料製剤塗布具であって、
単一の駆動モーター組立体によって前記化粧料製剤塗布具を選択的に振動させるように構成される器具に取り付け可能であり、前記器具が、前記単一の駆動モーター組立体に電力を選択的に供給するように構成されるプログラムされたマイクロコントローラを有する駆動制御部をさらに含み、
前記化粧料製剤塗布具が、
化粧料製剤を含むリザーバ；
ブラシヘッド基部であって、前記ブラシヘッド基部の第１の側で前記リザーバに取り付けられる、ブラシヘッド基部；
前記ブラシヘッド基部の第２の側から延在する、複数の毛；
前記リザーバから、前記ブラシヘッド基部を通り、前記複数の毛へ、前記化粧料製剤が通過できるように構成される、１又は複数のディスペンサノズル；及び
前記リザーバから、前記複数の毛へ、前記複数のディスペンサノズルを介して、化粧料製剤を押すように構成される、プランジャ；を含み、
前記単一の駆動モーター組立体が前記化粧料製剤塗布具を振動させるときに、前記器具の前記単一の駆動モーター組立体によって前記プランジャを選択的に駆動させて、前記複数のディスペンサノズルを通る前記化粧料製剤の流れを制御することができ、前記プログラムされたマイクロコントローラが前記単一の駆動モーター組立体に電力を供給するときに、前記単一の駆動モーター組立体が前記化粧料製剤塗布具を振動させる、
化粧料製剤塗布具。
【請求項２】
前記複数の毛が化粧料塗布先端で終わる、請求項１に記載の化粧料製剤塗布具。
【請求項３】
前記１又は複数のディスペンサノズルが、前記複数の毛の前記化粧料塗布先端近傍に、化粧料製剤を分注するように構成される、請求項２に記載の化粧料製剤塗布具。
【請求項４】
前記器具の振動が、前記複数の毛の前記化粧料塗布先端に表面上の前記化粧料製剤の仕上げをさせるように構成される、請求項２に記載の化粧料製剤塗布具。
【請求項５】
前記単一の駆動モーター組立体が、前記器具が振動している間に前記プランジャを駆動させるように構成される電気モーターを含む、請求項１に記載の化粧料製剤塗布具。
【請求項６】
前記１又は複数のディスペンサノズルが可撓性材料を含む、請求項１に記載の化粧料製剤塗布具。
【請求項７】
前記可撓性材料がエラストマー性ポリマー材料である、請求項６に記載の化粧料製剤塗布具。
【請求項８】
前記プランジャが、前記プランジャの側面を前記リザーバの内壁に対してシールするガスケットを含む、請求項１に記載の化粧料製剤塗布具。
【請求項９】
回転させると前記プランジャを駆動させるように構成されるジャッキねじをさらに含む、請求項１に記載の化粧料製剤塗布具。
【請求項１０】
前記ジャッキねじが、前記プランジャのねじ付きブッシングを通して入れられる、請求項９に記載の化粧料製剤塗布具。
【請求項１１】
前記ジャッキねじが、電気モーターに結合した駆動ギヤ組立体によって選択的に回転されるように構成される、請求項９に記載の化粧料製剤塗布具。
【請求項１２】
前記化粧料製剤が、メーキャップ、パーソナルソープ、スキンケア製品、又はヘアケア製品の少なくとも１つを含む、請求項１に記載の化粧料製剤塗布具。
【請求項１３】
化粧料製剤を塗布する及び仕上げるためのシステムであって、
前記システムが、
駆動ギヤ組立体に結合した単一の電気モーター、及び前記単一の電気モーターに電力を選択的に供給するように構成されるプログラムされたマイクロコントローラを有する駆動制御部を含む器具；及び
前記器具に選択的に取り付けられるように構成される、化粧料製剤塗布具ヘッドを含み、
前記プログラムされたマイクロコントローラが前記単一の電気モーターに電力を供給するときに、前記器具の前記単一の電気モーターが前記化粧料製剤塗布具ヘッドを選択的に振動させるように構成され、
前記化粧料製剤塗布具ヘッドが、
化粧料製剤を含むリザーバ、
ブラシヘッド基部であって、前記ブラシヘッド基部の第１の側で前記リザーバに取り付けられる、ブラシヘッド基部、
前記ブラシヘッド基部の第２の側から延在する、複数の毛、
前記リザーバから、前記ブラシヘッド基部を通り、前記複数の毛へ、前記化粧料製剤が通過できるように構成される、１又は複数のディスペンサノズル、
前記リザーバから、前記複数の毛へ、前記複数のディスペンサノズルを介して、化粧料製剤を押すように配置される、プランジャ、及び
前記化粧料製剤塗布具ヘッドが前記器具に取り付けられるときに、前記駆動ギヤ組立体と係合するように構成される、ジャッキねじギヤであって、前記駆動ギヤ組立体によって回転させると、前記ジャッキねじギヤが、前記プランジャを駆動させて、前記複数の毛への前記化粧料製剤の流れを制御することができ、前記単一の電気モーターが前記化粧料製剤塗布具ヘッドを振動させながら、前記駆動ギヤ組立体が前記ジャッキねじギヤを回転させる、ジャッキねじギヤ、を含む、
システム。
【請求項１４】
前記器具が、電力を前記単一の電気モーターに供給することのできる再充電バッテリーをさらに含む、請求項１３に記載のシステム。
【請求項１５】
前記器具が、他のヘッドに選択的に取り付け可能である、請求項１３に記載のシステム。
【請求項１６】
前記器具が、使用者が前記単一の電気モーターの操作を制御できるように構成される、１又は複数の制御ボタンをさらに含む、請求項１３に記載のシステム。
【請求項１７】
前記ジャッキねじギヤが、前記プランジャのねじ付きブッシングを通して入れられるジャッキねじを回転させるように構成される、請求項１６に記載のシステム。
【請求項１８】
前記複数の毛が、前記複数のディスペンサノズルの端部を越えて延在する、請求項１３に記載のシステム。
【請求項１９】
前記化粧料製剤が前記複数の毛の先端端部と接触した表面に塗布されるように、前記１又は複数のディスペンサノズルが、前記複数の毛の前記先端端部近傍に前記化粧料製剤を分注するように構成される、請求項１３に記載のシステム。
【発明の詳細な説明】
【技術分野】
【０００１】
背景
多くの人が化粧料製剤を定期的に使用している。一個人が、メーキャップ、パーソナルソープ、スキンケア製品、ヘアケア製品又は他の化粧料製品などの、多数の化粧料製剤を、日常的に使用している可能性がある。これらの化粧料製品は、典型的には瓶又はボトルなどの容器で売られ貯蔵されている。
【０００２】
化粧料製剤の従来の容器は、清潔に保つのが難しい。化粧料製剤が容器から使用される際に、化粧料製剤の残留物が容器に残される可能性がある。メーキャップなどのいくつかの化粧料製剤の残留物は、不注意により皮膚又は衣類に移り、皮膚又は衣類に染みを付ける又は皮膚又は衣類を別のやり方で変色させる可能性がある。いくつかの化粧料製剤の残留物はまた、容器の操作を妨げる可能性がある。例えば、化粧料製剤の残留物は、ねじ式キャップを備える容器のねじ山に残される可能性がある。このような残留物は、容器のキャップを適切にはずす又は締めることを難しくする可能性がある。
【０００３】
化粧料製剤の容器は、化粧料製剤を適切に保護していない可能性がある。化粧料製剤は、空気への暴露から悪影響を受ける可能性がある。メーキャップなどのいくつかの化粧料製剤は、空気への暴露により経時的に変色する可能性がある。いくつかの化粧料製剤は、空気への長期の暴露により、乾く又は永久的に粘度を変化させる可能性がある。人は、家を遅く出ないよう注意しながら朝身支度をする時など、片付けに対して熱心でない時に、化粧料製剤を使用することがある。このような場合において、人は化粧料製剤の容器を開けたままにし、化粧料製剤を空気に長期間暴露する可能性がある。
【発明の概要】
【発明が解決しようとする課題】
【０００４】
化粧料製剤が貯蔵及び分注される方法を向上させて、容器の清浄度、化粧料製剤の保護、及び他の問題に取り組むことができる。
【課題を解決するための手段】
【０００５】
概要
【０００６】
この概要は、以下の詳細な説明でさらに説明されている概念の選択を簡略化した形式で紹介するために提供される。この概要は、特許請求の範囲に記載される発明の内容の主要な特徴を特定することを意図するものではなく、特許請求の範囲に記載される発明の内容の範囲を決定するのを助けるものとして使用されることを意図するものでもない。
【０００７】
本開示の態様によれば、化粧料製剤を使用者の皮膚に塗布するための化粧料製剤塗布具が提供される。この化粧料製剤塗布具は、化粧料製剤を収容するリザーバを含む。この化粧料製剤塗布具はまた、ブラシヘッド基部、複数の毛、及び１又は複数のディスペンサノズルを含む。ブラシヘッド基部は、ブラシヘッド基部の第１の側でリザーバに取り付けられ、複数の毛はブラシヘッド基部の第２の側から延在する。１又は複数のディスペンサノズルは、リザーバから、ブラシヘッド基部を通り、複数の毛へ、化粧料製剤が通過できるように構成される。化粧料製剤塗布具はまた、リザーバから、複数の毛へ、複数のディスペンサノズルを介して、化粧料製剤を押すように構成される、プランジャを含む。プランジャを選択的に駆動させて、複数のディスペンサノズルを通る化粧料製剤の流れを制御することができる。
【０００８】
化粧料製剤塗布具のいくつかの実施形態において、複数の毛は化粧料塗布先端で終わる。１又は複数のディスペンサノズルは、複数の毛の化粧料塗布先端近傍に、化粧料製剤を分注するように構成される。化粧料製剤塗布具は、化粧料製剤塗布具に結合され、かつ選択的に振動するように構成される、器具を含むことができる。器具の振動は、複数の毛の化粧料塗布先端に表面上の化粧料製剤の仕上げをさせることができる。一例において、器具は、器具が振動している間にプランジャを駆動させるように構成される電気モーターを含むことができる。
【０００９】
化粧料製剤塗布具の他の実施態様において、１又は複数のディスペンサノズルは可撓性材料を含む。可撓性材料はエラストマー性ポリマー材料であることができる。化粧料製剤塗布具の他の実施態様において、プランジャは、プランジャの側面をリザーバの内壁に対してシールするガスケットを含むことができる。化粧料製剤塗布具はまた、回転させるとプランジャを駆動させるように構成されるジャッキねじを含むことができる。ジャッキねじは、プランジャのねじ付きブッシングを通して入れることができる。ジャッキねじはまた、電気モーターに結合した駆動ギヤ組立体によって選択的に回転されるように構成されることができる。化粧料製剤は、メーキャップ、パーソナルソープ、スキンケア製品、又はヘアケア製品の少なくとも１つを含むことができる。
【００１０】
本開示の態様によれば、化粧料製剤を塗布する及び仕上げるためのシステムが提供される。このシステムは器具及び化粧料製剤を含むことができる。器具は、駆動ギヤ組立体に結合した電気モーターを含むことができる。化粧料製剤塗布具ヘッドは、器具に選択的に取り付けられるように構成することができる。化粧料製剤塗布具ヘッドは、化粧料製剤、ブラシヘッド基部、複数の毛、及び１又は複数のディスペンサノズルを含むリザーバを含むことができる。ブラシヘッド基部は、ブラシヘッド基部の第１の側でリザーバに取り付けることができる。複数の毛は、ブラシヘッド基部の第２の側から延在することができる。１又は複数のディスペンサノズルは、リザーバから、ブラシヘッド基部を通り、複数の毛へ、化粧料製剤が通過できるように構成することができる。化粧料製剤塗布具ヘッドはまた、化粧料製剤塗布具ヘッドが器具に取り付けられるときに、駆動ギヤ組立体と係合するように構成される、ジャッキねじギヤを含むことができる。このジャッキねじギヤは、駆動ギヤ組立体によって回転させると、プランジャを駆動させて、複数の毛への化粧料製剤の流れを制御することができる。
【００１１】
システムのいくつかの実施形態において、器具はまた、電力を電気モーターに供給することのできる再充電バッテリーを含むことができる。器具は、他のヘッドに選択的に取り付け可能であることができる。器具はまた、使用者が電気モーターの操作を制御できるようにする、１又は複数の制御ボタンを含むことができる。ジャッキねじギヤは、プランジャのねじ付きブッシングを通して入れられるジャッキねじを回転させるように構成することができる。複数の毛は、複数のディスペンサノズルの端部を越えて延在することができる。化粧料製剤が複数の毛の先端端部と接触した表面に塗布されるように、１又は複数のディスペンサノズルは、複数の毛の先端端部近傍に化粧料製剤を分注するように構成することができる。
【００１２】
本開示の態様によれば、化粧料製剤を塗布する及び仕上げるための化粧料製剤塗布具が提供される。化粧料製剤塗布具は、リザーバ、ブラシヘッド基部、複数の毛、及び１又は複数のディスペンサノズルを含む。リザーバは化粧料製剤を含む。ブラシヘッド基部は、ブラシヘッド基部の第１の側でリザーバに取り付けられる。１又は複数のディスペンサノズルは、リザーバから、ブラシヘッド基部を通り、複数の毛へ、化粧料製剤が通過できるように構成される。化粧料製剤塗布具が静止しているときに、化粧料製剤は、１又は複数のディスペンサノズルを通る化粧料製剤の流れを抑制する粘度を有する。化粧料製剤が１又は複数のディスペンサノズルを通って流れることができるように、化粧料製剤塗布具の振動は、化粧料製剤のずり速度を引き起こして化粧料製剤の粘度を減少させることができる。一例において、化粧料製剤塗布具は、化粧料製剤塗布具の振動を引き起こすように構成される器具に取り付け可能であることができる。
【図面の簡単な説明】
【００１３】
本発明の前述の態様及び付随する利点の多くは、添付の図面と合わせて以下の詳細な説明を参照することによって、よりよく理解されるにつれて、より容易に理解されるようになるであろう。
【００１４】
【図１】図１は、本開示の態様に係る製剤塗布具ヘッド及び器具の一例の斜視図である。
【００１５】
【図２】図２は、図１の製剤塗布具ヘッド及び器具の分解図である。
【００１６】
【図３】図３は、本開示の態様に係る製剤塗布具ヘッドの一例の部品の略図である。
【００１７】
【図４】図４は、図３の製剤塗布具ヘッドの一例及びパーソナル器具の部品の一例の部品の略図である。
【００１８】
【図５】図５は、図１のパーソナルケア器具のいくつかの部品の機能ブロック略図である。
【００１９】
【図６】図６は、本開示の態様に係るパーソナルケア器具に取り付けられた製剤塗布具ヘッドの一例の側面図である。
【００２０】
【図７】図７は、図６のパーソナルケア器具に取り付けられた製剤塗布具ヘッドの斜視図である。
【００２１】
【図８】図８は、図１の製剤塗布具ヘッド及び器具の例の部分断面図である。
【００２２】
【図９】図９は、図１の製剤塗布具ヘッド及び器具の部分断面図である。
【００２３】
【図１０】図１０は、図１の製剤塗布具ヘッドの部分断面図である。
【００２４】
【図１１】図１１は、ずり速度
【数１】
0006545250.tif 000002
の関数としての粘度ηの関係を示す、化粧料製剤粘度曲線の一例を備えるグラフの描写である。
【発明を実施するための形態】
【００２５】
詳細な説明
同様の番号が同様の要素を参照する添付の図面に関連して以下に述べられる詳細な説明は、開示されている発明の内容の様々な実施形態の説明として意図されており、唯一の実施形態を表すことを意図するものではない。本開示において記載されている各実施形態は、単に例又は実例として提供されており、他の実施形態よりも好ましい又は有利であると解釈されるべきではない。本明細書に提供される実例となる例は、網羅的であることを意図するものではなく、特許請求の範囲に記載される発明の内容を開示されている正確な形に限定することを意図するものでもない。
【００２６】
以下の議論は、化粧料製剤を塗布するためのシステム、装置、及び／又は方法の例を提供する。本明細書に記載される例は、パーソナルケア器具と共に使用するのに適した製剤塗布具ヘッドを提供する。本明細書に記載されているいくつかの例において、パーソナルケア器具は、製剤塗布具ヘッド中のプランジャを駆動させて、製剤塗布具ヘッド中のリザーバから製剤を分注することができる。他の例において、パーソナルケア器具は、振動し、使用者の皮膚上の化粧料製剤全体にわたって製剤塗布具ヘッドの毛を振動させることによって、使用者の皮膚に塗布された化粧料製剤の仕上げを向上させることができる。
【００２７】
本明細書に記載の例において、パーソナルケア器具の振動は、回転、並進、又はそれらの組み合わせであってよい。使用時に、製剤塗布具ヘッド及びパーソナルケア器具の組み合わせは、使用者の皮膚に製剤を予め塗布する必要なく、製剤を使用者の皮膚に塗布することと、使用者の皮膚上の製剤を仕上げることとの両方を行うことができる。さらに、製剤塗布具ヘッドは、製剤が使用者の皮膚に塗布されるまで製剤を収容し、製剤の無駄を減らし、かつ空気への暴露に起因して製剤が受ける影響を緩和することができる。
【００２８】
以下の記載において、多数の具体的な詳細が、本開示の１又は複数の実施形態の完全な理解を提供するために記載されている。しかしながら、本開示の多くの実施形態を、具体的な詳細のうちいくつか又は全てがなくとも実施することができることが、当業者には明らかであろう。いくつかの例において、本開示の様々な態様を不必要に不明瞭にしないために、周知のプロセスステップは詳細には説明されていない。さらに、本開示の実施形態が、本明細書に記載されている特徴の任意の組み合わせを用いてよいことが理解されるだろう。
【００２９】
図１及び２を参照すると、ここには、本開示の態様にしたがい形成された、一般に２０に指定されている、化粧料製剤塗布具ヘッドの一例が示されている。化粧料製剤塗布具ヘッド２０は、器具２２などのパーソナルケア器具と共に使用するのに適している。化粧料製剤塗布具ヘッド２０及び器具２２の一部分の断面図が、図８、９、及び１０のうちのいくつかに示されている。いくつかの実施形態において、化粧料製剤塗布具ヘッド２０は、化粧料製剤５６を一群の毛５２の先端近傍の領域に分注することができる複数のディスペンサノズル５０を含む。容器５４を、１又は複数のブラケット６８を備える化粧料製剤塗布具ヘッド２０内の適当な位置に保持することができる。使用者の皮膚に塗布されたパーソナルケア製剤に仕上げを提供する目的で、毛５２を使用者の皮膚の表面で動かす及び／又は振動させることができる。以下により詳細に説明されるように、いくつかの実施形態は、音波の運動を利用して化粧料製剤塗布具ヘッド２０を振動させる。このことにより、使用者の皮膚に塗布された製剤の仕上げを向上させることができる。
【００３０】
化粧料製剤塗布具ヘッド２０をより詳細に説明する前に、化粧料製剤塗布具ヘッド２０に揺動運動を付与するのに用いることのできるパーソナルケア器具２２の一例を少し詳しく説明する。パーソナルケア器具２２が、本開示の実施形態で実施することのできる器具の１タイプである一方で、化粧料製剤塗布具ヘッド２０が、幅広い揺動性又は振動性運動発生装置と共に使用するのに適していることが理解されるだろう。
【００３１】
図１及び２についても、パーソナルケア器具２２の一例が示されている。器具２２は、ハンドル部２６及びヘッド取り付け部２８を有する本体２４を含む。ヘッド取り付け部２８は、化粧料製剤塗布具ヘッド２０などのヘッドを器具２２に選択的に取り付けるように構成される。器具本体２４は、器具の操作構造を収容する。図５のブロック略図の形で示されるように、一つの実施形態における操作構造は、駆動モーター組立体３０、再充電バッテリーなどの蓄電源３２、及び蓄電源３２から駆動モーター組立体３０に電力を選択的に供給するように構成され配置される、（例えば、図１及び２の）オン／オフボタン３６を含む駆動制御部３４、を含む。いくつかの実施形態において、駆動制御部３４は、駆動モーター組立体３０への電力の供給を制御するように構成されるプログラムされたマイクロコントローラ又はプロセッサなどの制御回路に結合される、電力調整又はモード制御ボタン３８を含んでもよい。いくつかの実施形態における駆動モーター組立体３０は、化粧料製剤塗布具ヘッド２０などの取り付けられたヘッドを駆動ギヤ組立体を介して駆動させる電気駆動モーター４０を含む。
【００３２】
化粧料製剤塗布具ヘッド２０をヘッド取り付け部２８に搭載するときに、駆動モーター組立体３０は、化粧料製剤塗布具ヘッド２０に運動を付与するように構成される。器具２２は、典型的には８０〜１６２Ｈｚの範囲の音波周波数で、化粧料製剤塗布具ヘッド２０を振動させるように構成してよい。いくつかの実施形態において、器具２２は、約９４Ｈｚ〜１０６Ｈｚの周波数で、かつ約３８〜４４％のデューティサイクルで、振動させられる。
【００３３】
化粧料製剤塗布具ヘッド２０を揺動させるために器具２２が用いることのできる駆動モーター組立体３０の一例が、米国特許第７，７８６，６４６号に示され説明されている。しかしながら、これが、一つのこのような器具の構造及び操作の単なる例であり、このような器具の構造、操作周波数及び揺動振幅は、その意図される塗布及び／又は塗布具ヘッドの特性、例えばその慣性の特性など、にある程度依存して変わる可能性がある、ということが理解されるべきである。本開示のいくつかの実施形態において、周波数範囲は、取り付けられたヘッドを近共振で駆動させるように選択される。それ故に、選択された周波数範囲は、取り付けられたヘッドの慣性の特性にある程度依存する。取り付けられたヘッドを近共振で駆動させることが、負荷状態（例えば、皮膚に接触している場合）において、取り付けられたヘッドを適切な振幅で駆動させる能力を含む、多くの利益を提供することが理解されるだろう。器具の設計パラメーターについてのより詳細な議論については、米国特許第７，７８６，６４６号を参照されたい。
【００３４】
図３及び４を参照すると、化粧料製剤塗布具ヘッド２０の一例が、より詳細に記載される。化粧料製剤塗布具ヘッド２０は、器具２２の嵌合接合部４６（図２に図示されている）と接合するように構成される接合端部４４を含む。化粧料製剤塗布具ヘッド２０が器具２２に取り付けられると、器具２２の振動が化粧料製剤塗布具ヘッド２０に移り、化粧料製剤塗布具ヘッド２０を同様に振動させることができる。
【００３５】
化粧料製剤塗布具ヘッド２０はまた、ブラシヘッド基部４８を含む。毛５２は、ブラシヘッド基部４８から延在する。毛５２はそれぞれ、先端で終わる。ディスペンサノズル５０はブラシヘッド基部４８を貫通し、毛５２の先端近傍で終わる。いくつかの実施形態において、毛５２は、ディスペンサノズル５０がブラシヘッド基部４８から延在するよりもさらに遠くへ、ブラシヘッド基部４８から延在する。ディスペンサノズル５０は、エラストマー性ポリマーなどの可撓性材料で作ることができる。毛５２は、器具２２が振動すると毛５２が振動するように、長く柔軟であることができる。毛５２は、ポリブチレンテレフタラート（ＰＢＴ）、ポリエチレンテレフタラート（ＰＥＴ）、ナイロン、ポリエステル、熱可塑性エラストマー（ＴＰＥ）、それらの組み合わせ、などで作ることができる。毛５２が使用者の皮膚上の化粧料製剤に接触している場合、毛５２の振動は、使用者の皮膚上の化粧料製剤の特定の仕上げを提供することができる。
【００３６】
いくつかの実施形態において、毛５２は一般には横断面が円形であるが、毛５２の横断面は変わってもよく、例えば四角形横断面、Ｘ形横断面などがある。加えて、いくつかの実施形態において、毛５２は、丸い端部を有して又は有さずに形成される。さらに、いくつかの実施形態において、毛５２を抗菌剤で処理してよく、又は銀ゼオライト、亜鉛、銅、金などの抗菌性材料でコーティングしてよい。他の実施態様において、銀ゼオライトを、毛５２を構築するのに使用される樹脂に配合して使用し、毛に与える細菌及び真菌の影響を低減することができる。
【００３７】
いくつかの実施形態において、毛５２は互いに離間させることができる。ディスペンサノズル５０もまた、互いに及び毛５２から離間させることができる。いくつかの実施形態において、ディスペンサノズル５０及び毛５２をランダムな様式で配置させることができ、一方他の実施態様においては、ディスペンサノズル５０及び毛５２を１又は複数のパターンで配置することができる。これらの実施形態において、１又は複数のパターンは、ブラシヘッド基部４６の大部分にわたって一定であることができ、又はブラシヘッド基部４６又はそのパーツの大部分にわたって変わることができる。ディスペンサノズル５０は、パターンに配置することができ、例えば６つのディスペンサノズルを六角形の角に配置することができる。任意の数の他のパターンを使用することができ、例えば、４つのノズルを四角形パターンで、５つのノズルを五角形パターンで、８つのノズルを八角形パターンで、多数のノズルをマトリクスパターンで、又は多数のノズルをスポークパターンで、使用することができる。
【００３８】
接合端部４４とブラシヘッド基部４８との間にはリザーバ５４がある。リザーバ５４は、化粧料製剤５６を収容することができる。化粧料製剤５６としては、メーキャップ、パーソナルソープ、スキンケア製品、ヘアケア製品、又は任意の他の化粧料製品などの、任意の化粧料製剤が可能である。メーキャップは、ファンデーション、頬紅、ハイライター、ブロンザー、又は任意の他のタイプのメーキャップを含むことができる。パーソナルソープは、洗顔料、ボディウォッシュ、又は任意の他のタイプのパーソナルソープを含むことができる。スキンケア製品は、ローション、皮膚剥離剤、パック用製剤、又は任意の他のタイプのスキンケア製品を含むことができる。ヘアケア製品は、シャンプー、コンディショナー、シェービングクリーム、又は任意の他のタイプのヘアケア製品を含むことができる。
【００３９】
リザーバ５４は、キャニスタの形又は任意の他の形であることが可能である。リザーバ５４はプランジャ５８を有することができる。ガスケット６０は、プランジャ５８の縁の周りに位置して、プランジャ５８の縁をリザーバ５４の側面にシールすることができる。プランジャ５８がブラシヘッド基部４８の方へ動くと、化粧料製剤５６がディスペンサノズル５０を通って押され、毛５２の先端近傍に塗布される。このようにして、毛５２の先端と接触している使用者の皮膚に化粧料製剤５６を塗布することができる。
【００４０】
ジャッキねじ６２は、プランジャ５８のねじ付きブッシングを通して入れることができる。一つの実施形態において、ねじ付きブッシングは、プランジャ５８の中央に又は中央近傍に位置することができる。ジャッキねじ６２は、リザーバ５４の長さ、ブラシヘッド基部４８からジャッキねじギヤ６４にまたがることができる。ジャッキねじ６２は、ジャッキねじギヤ６４を回転させることにより、回転させることができる。一つの実施形態において、ジャッキねじ６２はジャッキねじギヤ６４に取り付けられ、ジャッキねじ組立体を形成する。ジャッキねじギヤ６４を回転させると、ジャッキねじ６２も回転し、これによりプランジャ５８がジャッキねじ６２の軸と平行な方向に動く。ジャッキねじ６２は、プランジャ５８を動かすことのできるメカニズムの一例である一方、他のメカニズムを使用することも可能である。例えば、アクチュエータがプランジャ５８を動かし、化粧料製剤５６をリザーバ５４から分注することができる。
【００４１】
図３に示されるように、ジャッキねじ６２及びジャッキねじギヤ６４は、化粧料製剤塗布具ヘッド２０に収容されることができる。器具２２は、駆動ギヤ組立体４２を駆動させる電気駆動モーター４０を有することができる。化粧料製剤塗布具ヘッド２０が器具２２に取り付けられると、図４に示されるように、駆動ギヤ組立体４２はジャッキねじギヤ６４と係合することができる。このようにして、駆動ギヤモーター４０は、ジャッキねじギヤ６４及びジャッキねじ６２を回転させてプランジャ５８を動かす駆動ギヤ組立体４２を回転させることによって、プランジャ５８を動かすことができる。プランジャ５８がブラシヘッド基部４８の方へ動くと、化粧料製剤５６がリザーバ５４の外に分注される。
【００４２】
化粧料製剤５６がリザーバ５４から分注される速度は、以下の要因のうち１又は複数に基づくことができる：電気駆動モーター４０のスピード、電気駆動モーター４０と駆動ギヤ組立体４２との間のギヤ比、駆動ギヤ組立体４２とジャッキねじギヤ６４との間のギヤ比。一つの実施形態において、電気駆動モーター４０のスピードを制御して、化粧料製剤５６がリザーバ５４から分注される速度の量を制御する。例えば、電力調整又はモード制御ボタン３８を押すことなどの、器具２２への使用者の入力に基いて、電気駆動モーター４０のスピードを調整することができる。
【００４３】
化粧料製剤５６は、それがディスペンサノズル５０を介して分注されるまで、リザーバ５４の内部にとどまることができる。このようにして、化粧料製剤５６は、それがリザーバ５４から分注されるまで、空気に暴露されずにいることができる。化粧料製剤５６が使用者の皮膚に分注され塗布されるまで、化粧料製剤５６が空気に暴露されないようにすることにより、使用者の皮膚に塗布される化粧料製剤５６の色及び質感の一貫性を向上させることができる。加えて、化粧料製剤５６が使用者の皮膚に塗布されるまで、化粧料製剤５６をリザーバ５４に収容することにより、化粧料製剤５６の不注意によるこぼれなどの、開いた容器から生じる可能性のある化粧料製剤５６の無駄を減らすことができる。
【００４４】
図６及び７は、器具２２に取り付けられた化粧料製剤塗布具ヘッド２０の一実施形態を示す。器具２２は器具本体２４を有し、化粧料製剤塗布具ヘッド２０はヘッド本体６６を有する。ヘッド本体は、化粧料製剤塗布具ヘッド２０内部の、リザーバ５４、ジャッキねじ組立体などのパーツを包含及び保護することができる。器具２２の器具本体２４及び化粧料製剤塗布具ヘッド２０のヘッド本体６６は、ナイロン、ポリプロピレン、ポリウレタン、ポリエチレンなどのプラスチックから構築することができる一方で、アルミニウム、チタンなどの軽金属を含む、他の材料を利用することもできる。一つの実施形態において、化粧料製剤塗布具ヘッド２０が器具２２に取り付けられたときに、ヘッド本体６６は器具本体２４と同一平面にあることができる。他の実施態様において、化粧料製剤塗布具ヘッド２０が器具２２に取り付けられたときに、ヘッド本体６６は、間に隙間をおいて器具本体２４から離れた状態にあることできる。
【００４５】
いくつかの実施形態において、化粧料製剤塗布具ヘッド２０及び器具２２は、器具２２へ化粧料製剤塗布具ヘッド２０を選択的に取り付けることができるように構成される取り付けシステムを含むことができる。いくつかの実施形態において、取り付けシステムは、化粧料製剤塗布具ヘッド２０を器具２２へ取り付ける及び器具２２から取り外すための、すばやく簡単な技術を提供することができる。取り付けシステムはまた、任意の数の他のパーソナルケアヘッドが器具２２に取り付けられるようにすることもできる。例えば、リザーバ５４中の化粧料製剤５６の補充が使い果たされたときに、化粧料製剤塗布具ヘッド２０を取り外して、取り換え化粧料製剤塗布具ヘッドを取り付けることができる。別の例において、使用者が化粧料製剤塗布具ヘッド２０中の化粧料製剤５６とは異なる化粧料製剤を使用したいときに、化粧料製剤塗布具ヘッド２０を器具２２から取り外して、別の化粧料製剤塗布具ヘッドを器具２２に取り付けることができる。後者の例において、使用者が元の化粧料製剤塗布具ヘッド２０を再び使用したいときに、使用者は前記別の化粧料製剤塗布具ヘッドを取り外して、元の化粧料製剤塗布具ヘッド２０を再び取り付けることができる。
【００４６】
本開示の実施形態で実施され得る一つの取り付けシステムが、米国特許第７，３８６，９０６に記載されている。（１）器具２２からの振動を化粧料製剤塗布具ヘッド２０に伝える、及び／又は（２）駆動ギヤ組立体４２をジャッキねじギヤ６４と係合させる形で、他の取り付けシステムを用いて、化粧料製剤塗布具ヘッド２０を器具２２などのパーソナルケア器具に選択的に取り付けるための、道具を用いる又は道具を用いない技術を提供することができることが理解されるだろう。いくつかの実施形態において、化粧料製剤塗布具ヘッド２０又は器具２２の一方にある任意選択のリテーナを使用して、化粧料製剤塗布具ヘッド２０を器具２２に取り付けてよい。
【００４７】
化粧料製剤塗布具ヘッド２０の上記の例を使用して、化粧料製剤を使用者の皮膚に塗布すること、及び使用者の皮膚上の化粧料製剤に仕上げを施すことができる。これに関して、化粧料製剤塗布具ヘッド２０は最初にパーソナルケア器具２２に取り付けられる。化粧料製剤５６を、リザーバ５４からディスペンサノズル５０を介して毛５２の先端に分注することができる。次に、分注された化粧料製剤を、使用者の皮膚に対して毛５２の先端をブラッシングすることにより塗布することができる。次に、必要に応じて、毛５２が使用者の皮膚に対してブラッシングされるときの毛５２の先端の振動によって、使用者の皮膚に塗布された化粧料製剤に、仕上げを施すことができる。毛５２の先端の振動は、器具２２の振動により引き起こすことができる。
【００４８】
別の実施形態において、化粧料製剤５６は、化粧料製剤５６のずり速度を変化させることによって、リザーバ５４から分注することができる。図１１は、粘度の高いファンデーションなどの特定の化粧料製剤の、ずり速度
【数２】
0006545250.tif 000003
の関数としての粘度ηの関係を示す化粧料製剤粘度曲線７２の一例を備えるグラフを図示している。化粧料製剤粘度曲線７２はずり減粘領域７４に位置する。ずり速度が低いと、化粧料製剤粘度曲線７２はゼロずりニュートンプラトー（η０）７６近傍となる。ずり速度が増加するにつれて、化粧料製剤粘度曲線７２は、無限ずりニュートンプラトー（η∞）７８に到達するまで下降する。それ故、化粧料製剤のずり速度が増加するにつれて、化粧料製剤の粘度が低下し、化粧料製剤がより自由に流れるようになることができる。
【００４９】
上述のずり減粘現象は、図１及び３の化粧料製剤塗布具ヘッド２０及び器具２２の特定の例に適用することができる。器具２２は、作動させることのできる、揺動性モーターなどのモーターを有することができる。モーターが作動すると、モーターの動きが化粧料製剤塗布具ヘッド２０を振動させ、容器５４中の化粧料製剤５６のずり速度を増加させることができる。化粧料製剤５６のずり速度が増加するにつれて、化粧料製剤５６の粘度は減少することができる。化粧料製剤５６の低減された粘度及び重力の組み合わせによって、プランジャ５８をブラシヘッド基部４８の方へ駆動させなくても、化粧料製剤５６にディスペンサノズル５０を通過させることができる。
【００５０】
一つの実施形態において、化粧料製剤５６は、低い水レベル及び高いシリコーンエラストマー含量を有する、シリコン中水型の着色エマルジョンであるファンデーションであることができる。例えば、ファンデーションは、７％蒸留水、３．７７５％イソドデカン、及び３％ジメチコンを含むことができる。
【００５１】
上述の方法を実施して、化粧料製剤を使用者の皮膚に塗布すること、及び使用者の皮膚上の化粧料製剤を仕上げることができる。しかしながら、上に開示される方法の一部として、他のパーソナルケア製剤などの任意のタイプの製剤を使用することができる。
【００５２】
この開示の目的で、「上部の（ｕｐｐｅｒ）」、「下部の（ｌｏｗｅｒ）」、「垂直（ｖｅｒｔｉｃａｌ）」、「水平（ｈｏｒｉｚｏｎｔａｌ）」、「内側へ（ｉｎｗａｒｄｌｙ）」、「外側へ（ｏｕｔｗａｒｄｌｙ）」、「内側の（ｉｎｎｅｒ）」、「外側の（ｏｕｔｅｒ）」、「前の（ｆｒｏｎｔ）」、「後ろの（ｒｅａｒ）」などの用語法は、説明用であり、特許請求の範囲に記載の発明の内容の範囲を限定するものではないと解釈されるべきであることに注意されたい。さらに、「含む（ｉｎｃｌｕｄｉｎｇ）」、「含む（ｃｏｍｐｒｉｓｉｎｇ）」、又は「有する（ｈａｖｉｎｇ）」及びそれらの変形物の本明細書中の使用は、それらの後に列挙される項目及びそれらの等価物、並びに追加の項目を包含することが意図される。特に限定しない限り、明細書中の用語「接続された（ｃｏｎｎｅｃｔｅｄ）」、「結合された（ｃｏｕｐｌｅｄ）」、及び「搭載された（ｍｏｕｎｔｅｄ）」並びにそれらの変形物は、幅広く使用され、直接的な及び間接的な接続、結合、及び搭載を包含する。
【００５３】
本開示の原理、代表的な実施形態、及び操作のモードを前述の説明部分において説明してきた。しかしながら、保護されることを意図する本開示の態様は、開示される特定の実施形態に限定されると解釈されるべきものではない。さらに、本明細書に記載される実施形態は、限定的ではなく例示的なものとみなされるべきものである。本開示の精神から逸脱することなく、他者が変形及び変更を行うことができ、等価物を用いることができることが理解されるだろう。したがって、そのような変形、変更、及び等価物の全てが、特許請求の範囲に記載されているような本開示の精神及び範囲内に含まれることが、明示的に意図される。
排他的な所有権又は特権が主張される本発明の実施形態は、特許請求の範囲のとおり定められる。
【図１】
0006545250.tif 000004
【図２】
0006545250.tif 000005
【図３】
0006545250.tif 000006
【図４】
0006545250.tif 000007
【図５】
0006545250.tif 000008
【図６】
0006545250.tif 000009
【図７】
0006545250.tif 000010
【図８】
0006545250.tif 000011
【図９】
0006545250.tif 000012
【図１０】
0006545250.tif 000013
【図１１】
0006545250.tif 000014